(57)【要約】      （修正有）【課題】  ジョイントプラグの雌ねじ部や圧着接合部に過剰な力が作用することがなく、耐久性の向上と破損防止とを図り得る歩行補助用ポールを提供する。【解決手段】  大径側パイプシャフト４，６内に小径側パイプシャフト６，８を挿抜自在に遊嵌し、小径側パイプシャフトの一端にテーパ面２０ａを有して大径側パイプシャフト内に延びるネジ部材２０を設け、ネジ部材には大径側パイプシャフトの内周面に軽圧入嵌合されて摺接するジョイントプラグ１８を螺合させ、ジョイントプラグにはその一端部側を拡縮可能とする複数の割溝１８ｃを形成し、大径側パイプシャフトと小径側パイプシャフトとを相対回転させてネジ部材のテーパ面をジョイントプラグの一端部に圧入嵌合ないし離脱させて大径側パイプシャフトと小径側パイプシャフトとを一体的に固定乃至解除する。【選択図】      図２
2006239153.tif 000002
【特許請求の範囲】
【請求項１】
大径側パイプシャフト内に小径側パイプシャフトが順次挿抜自在に複数本遊嵌挿通され、小径側パイプシャフトの一端にはテーパ面を有して大径側パイプシャフト内に延びるネジ部材が同軸上に一体的に設けられ、このネジ部材には大径側パイプシャフトの内周面に軽圧入嵌合されて摺接する円筒状のジョイントプラグが螺合されており、かつ該ジョイントプラグにはその一端部側を拡縮可能とするための複数の割溝が形成されていて、大径側パイプシャフトと小径側パイプシャフトとを相対回転させることによりネジ部材のテーパ面をジョイントプラグの一端部側に圧入嵌合ないし離脱させて該一端部を拡縮し、大径側パイプシャフトと小径側パイプシャフトとを圧着固定ないし固定解除する伸縮調節が可能な歩行補助用ポールにおいて、
前記ネジ部材におけるテーパ面の大径側端に、前記ジョイントプラグの環状の端面が当接して、該ジョイントプラグへの該テーパ面の圧入嵌合を所定値に規制する平坦な対向面を有したストッパー部を一体的に拡径形成したことを特徴とする歩行補助用ポール。
【発明の詳細な説明】
【技術分野】
【０００１】
本発明は、トレッキングやハイキング等で使用する長さが伸縮調整可能な歩行補助用ポールに関する。
【背景技術】
【０００２】
図１と図４、図５はトレッキングやハイキング等で従来から使用されている長さが伸縮調整可能な歩行補助用ポールを示す。図示するように、歩行補助用ポール２は径の大小異なる複数のパイプシャフトが順次その径の大きさ順に挿抜自在に遊嵌状態で挿通されて、その全長を任意の長さで固定係止可能に構成されている。一般的には、大径、中径、小径の３本のアルミ製のパイプシャフト４，６，８よりなり、大径パイプシャフト４内に挿通された中径パイプシャフト６の一端部と、中径パイプシャフト６内に挿通された小径パイプシャフト８の一端部とに、それぞれ大径パイプシャフト４の内周面及び中径パイプシャフト６の内周面に各々係合して、大径パイプシャフト４と中径パイプシャフト６とを、また中径パイプシャフト６と小径パイプシャフト８とを相互に一体的に固定して係止する固定係止機構１６が設けられている。
【０００３】
この固定係止機構１６は、図２に示すように上記中径パイプシャフト６と小径パイプシャフト８との一端部にそれぞれ圧入嵌合されて一体化される金属製のネジ部材２０と、このネジ部材２０に螺合される樹脂製のジョイントプラグ１８、及びこのジョイントプラグ１８の抜け落ちを防止するためにネジ部材２０の先端に設けられるスナップリングや回り止めが施されたナット２２等の止め金具とからなる。
【０００４】
ネジ部材２０はパイプシャフト６，８内に圧入嵌合される基端部２０ｄにカシメ止め用の溝部２０ｅが形成され、この溝部２０ｅでパイプシャフト６，８がカシメられて一体化されている。また、ネジ部材２０にはパイプシャフト６，８の端面に当接するフランジ２０ｃがそのパイプシャフトの肉厚分だけ拡径形成されていて、圧入嵌合時の位置合わせが容易に行えるようになっている。そして、このフランジ２０ｃからは円錐状に漸次縮径されるテーパ面２０ａが軸方向に沿って突出形成され、このテーパ面２０ａに続いてネジ部２０ａが延出し、このネジ部２０ａに上記ジョイントプラグ１８が螺合されている。
【０００５】
ジョイントプラグ１８は内周面に雌ねじが形成されているボス部１８ａと、このボス部１８ａからネジ部材２０のテーパ面２０ａ側に向けて一体的に筒状に延出形成されている圧着係合部１８ｂとからなる。そして、この圧着係合部１８ｂには複数条の割溝１８ｃが軸方向に沿って形成されていて、径方向外方に容易に弾性変形して拡縮し得るようになっている。また、圧着係合部１８ｂはボス部１８ａよりも径が大きく形成されていて、かつこれが挿入される大径側のパイプシャフト４，６の内径よりも若干大きな寸法とされて、大径側パイプシャフト４，６内に軽圧入されて内周面に摺接するようになっている。
【０００６】
すなわち、組立状態で固定係止機構１６のネジ部材２０は、これが取り付けられた小径側のパイプシャフト６，８の一端部から大径側のパイプシャフト４，６内に延び、そのネジ部２０ｂに螺合されたジョイントプラグ１８の圧着係合部１８ｂはパイプシャフト４，６の内周面に摺接している。
【０００７】
従って、大径側のパイプシャフト４，６と小径側のパイプシャフト６，８とを手で捻って相対回転させると大径側のパイプシャフト４，６の内周面に摺接したジョイントプラグ１８は摩擦力により回転が規制されて、ネジ部２０ｂ上を軸方向に相対移動することになる。そして、ネジ部材２０の基端部２０ｄ側に向かって相対移動してゆき、圧着接合部１８ｂがテーパ面２０ａに当接するとこのテーパ面２０ａにより径方向外方に拡大されて拡径し、その外周面がパイプシャフト４，６の内周面に強く圧接されていく。これにより当該ジョイントプラグ１８とネジ部材２０とを介して大径側のパイプシャフト４，６と小径側のパイプシャフト６，８とがそれぞれ一体的に固定係止されることになる。また、ジョイントプラグ１８の圧着接合部１８ｂがネジ部材２０のテーパ面２０ａに当接していない状態では、ジョイントプラグ１８をパイプシャフト４，６の内周面に対して軽い力で摺動させることができ、よって大径側のパイプシャフト４，６と小径側のパイプシャフト６，８とを軽い力で押し引きして挿抜作動させることで、その全長を任意の長さに設定し得るようになっている。
【０００８】
なお、図１及び図２中において、１０は大径側のパイプシャフト４，６の端部に取り付けられてエッヂ部を覆う保護用のカバースリーブであり、１２は大径パイプシャフト４に取り付けられたグリップ、図２中の２６は小径パイプシャフト８の先端に取り付けられた石突き、２６ａはこの石突きに着脱自在に取り付けられる図外のバスケットリングを螺合させるためのネジ部２４はそのストッパであり、当該石突き２６部分には通常時には図１に示すように保護カバー１４が着脱自在に被せられている。
【発明の開示】
【発明が解決しようとする課題】
【０００９】
ところで、上述したように、ネジ部材２０にはパイプシャフト６，８の端面に当接するフランジ２０ｃがそのパイプシャフトの肉厚分だけ拡径形成されていて、このフランジ２０ｃからは円錐状に漸次縮径されるテーパ面２０ａが軸方向に沿って突出形成されているが、上記従来の歩行補助用ポール２にあっては、当該テーパ面２０ａの付け根の大径側端部とフランジ２０ｃの外径部とは円弧面で繋いでＲ形状の面取り部に形成していた。
【００１０】
このため、ジョイントプラグ１８をテーパ面の大径側に向けて螺合させていった際に、当該ジョイントプラグ１８の先端部がテーパ面２０ａの付け根の大径側端部に至ってフランジ２０ｃに当接しても、ジョイントプラグ１８とネジ部材２０とをさらに相対回転させれば、圧着接合部１８ｂは当該フランジ２０ｃの円弧面に案内されてこれに乗り上がってしまい、当該ジョイントプラグ１８の圧着接合部１８ｂは更に拡開されていくようになっていた。
【００１１】
つまり、ジョイントプラグ１８の先端部がテーパ面２０ａの付け根に至れば、その時点でのジョイントプラグ１８の圧着接合部１８ｂの拡開によって、大径側のパイプシャフト４，６と小径側のパイプシャフト６，８とは十分な締付力が得られて確実に固定係止されるようになっているにも拘わらず、当該時点ではジョイントプラグ１８とネジ部材２０との相対回転および軸方向への移動は規制されることがなく、さらに相対回転され得る構造となっていた。
【００１２】
これ故、大径側のパイプシャフト４，６と小径側のパイプシャフト６，８とを固定係止すべくこれらを手で捻っていった場合に、ジョイントプラグ１８とテーパ面２０ａとの嵌合状態は視認することができないので、使用者は必然的に大径側のパイプシャフト４，６と小径側のパイプシャフト６，８とを相対回転できなくなるまで過回転させてしまい易く、その結果として、ジョイントプラグ１８の雌ねじ部や割溝１８ｃの入った筒状の圧着接合部１８ｂに過大な力を作用させてしまい、これらの部位の耐久性を低下させて、損傷を与えてしまう虞が高かった。
【００１３】
本発明はこのような事情に鑑みてなされたものであり、その目的は、ネジ部材のテーパ面とジョイントプラグとの圧入嵌合を所定値以下に規制して、ジョイントプラグの雌ねじ部や圧着接合部に過剰な力が作用しないようにして、その耐久性の向上と破損の防止を図ることができるようにした固定係止構造を備えた、全長を任意に伸縮調節可能な歩行補助用ポールを提供することにある。
【課題を解決するための手段】
【００１４】
上記の目的を達成するためにこの発明では、大径側パイプシャフト内に小径側パイプシャフトが順次挿抜自在に複数本遊嵌挿通され、小径側パイプシャフトの一端にはテーパ面を有して大径側パイプシャフト内に延びるネジ部材が同軸上に一体的に設けられ、このネジ部材には大径側パイプシャフトの内周面に軽圧入嵌合されて摺接する円筒状のジョイントプラグが螺合されており、かつ該ジョイントプラグにはその一端部側を拡縮可能とするための複数の割溝が形成されていて、大径側パイプシャフトと小径側パイプシャフトとを相対回転させることによりネジ部材のテーパ面をジョイントプラグの一端部側に圧入嵌合ないし離脱させて該一端部を拡縮し、大径側パイプシャフトと小径側パイプシャフトとを圧着固定ないし固定解除する伸縮調節が可能な歩行補助用ポールにおいて、前記ネジ部材におけるテーパ面の大径側端に、前記ジョイントプラグの環状の端面が当接して、該ジョイントプラグへの該テーパ面の圧入嵌合を所定値に規制する平坦な対向面を有したストッパー部を一体的に拡径形成したことを特徴とする。
【発明の効果】
【００１５】
上記構成でなる歩行補助用ポールによれば、大径側のパイプシャフトと小径側のパイプシャフトとを固定係止すべくこれらを手で捻っていった際に、ジョイントプラグの先端がネジ部材のテーパ面の付け根の大径側端部に至ると、当該ジョイントプラグ先端の拡縮可能な環状の端面が、これに対向してネジ部材に一体的に拡径形成された平坦な対向面に当接して、それ以後の相対回転が阻止されるので、ジョイントプラグへのテーパ面の圧入嵌合を所定値以下に規制することができるようになる。このため、ジョイントプラグの雌ねじ部や拡開部に過剰な力を作用させてしまうことを防止でき、その耐久性の向上と破損の防止とを図ることができるようになる。また、大径側のパイプシャフトと小径側のパイプシャフトとの相対回転が不能になるまで、両パイプシャフトを捻り込むことになるので、捩り締め込み不足の不安を使用者に与えることなく、確実に両パイプシャフトを固定係止させることができる。
【発明を実施するための最良の形態】
【００１６】
以下に、本発明に係る歩行補助用ポールの好適な実施の形態例について、添付図面に基づき詳述する。図１は本発明と従来例とに共通する歩行補助用ポールの外観を示すもので、（ａ）は最長に伸ばした状態の側面図、（ｂ）は各パイプシャフトを離脱させた状態の分解図である。また、図２は本発明の一実施形態例に係る歩行補助用ポールの各パイプシャフトを一部破断して示す部分断面図で、（ａ）は大径パイプシャフト、（ｂ）は中径パイプシャフト、（ｃ）は小径パイプシャフトである。図３は図２の要部拡大図であり、小径パイプシャフトに取り付けられたネジ部材とジョイントプラグとを示す図である。なお、本発明に係る歩行補助用ポールの主たる構成は、前述の図４及び図５に示される従来のものとほぼ同一であり、よって従来の構成と共通する点については同一の符号を付して詳しい説明は省略する。
【００１７】
図１〜図３に示すように、本発明の歩行補助用ポールは歩行補助用ポール２は、従来例と同様に、径の大小異なる複数のパイプシャフトが順次その径の大きさ順に挿抜自在に遊嵌状態で挿通されてなり、その全長は、固定係止機構１６によって任意の長さに固定係止可能になっている。そして、図示するように本実施形態では、大径、中径、小径の３本のアルミ製のパイプシャフト４，６，８からなっている。
【００１８】
上記固定係止機構１６は、図２に示すように中径パイプシャフト６と小径パイプシャフト８との一端部にそれぞれ圧入嵌合されて一体化される金属製のネジ部材２０と、このネジ部材２０に螺合される樹脂製のジョイントプラグ１８、及びこのジョイントプラグ１８の抜け落ちを防止するためにネジ部材２０の先端に設けられるスナップリングや回り止めが施されたナット２２等の止め金具とからなる。
【００１９】
ここで、本発明が特徴点とする構成はネジ部材２０にあるが、当該ネジ部材２０はパイプシャフト６，８内に基端部２０ｄが圧入嵌合されて、カシメ止め用の溝部２０ｅでパイプシャフト６，８がカシメられて一体化される点は従来と同様である。また、ネジ部材２０の基端部２０ｄにはパイプシャフト６，８の端面に当接するフランジ２０ｃがパイプシャフト６，８の肉厚分だけ拡径形成されていて、このフランジ２０ｃからは円錐状に漸次縮径されるテーパ面２０ａが軸方向に沿って突出形成され、このテーパ面２０ａに続いてネジ部２０ａが延出し、このネジ部２０ａにジョイントプラグ１８が螺合される点も従来と同様である。
【００２０】
即ち、本実施形態のネジ部材２０が従来と相違する点は、そのテーパ面２０ａの大径側端に、ジョイントプラグ１８の割溝１８ｃが形成されている拡縮可能な圧着接合部１８ｂの略環状の先端面１８ｄが当接して、当該ジョイントプラグ１８内へのテーパ面２０ａの圧入嵌合を所定値に規制するための平坦な対向面を有したストッパー部２０ｆを一体的に拡径形成したことにある。つまり、図示する本実施形態にあっては、テーパー面２０ａが突出形成されるフランジ面を、従来のように円弧状の面取り加工面とはせずに、平坦に形成してストッパー部２０ｆとしている。
【００２１】
したがって、ネジ部材２０に上記ストッパー部２０ｆを有した歩行補助用ポールによれば、大径側のパイプシャフト４，６と小径側のパイプシャフト６，８とを固定係止すべくこれらを手で捻っていった際に、ジョイントプラグ１８の先端面１８ｄがネジ部材２０のテーパ面２０ａの付け根の大径側端部に至ると、当該ジョイントプラグ２０先端の拡縮可能な圧着接合部１８ｂの略環状の先端面１８ｄが、これに対向してネジ部材２０に一体的に拡径形成された平坦な対向面のストッパー部２０ｆに当接して、それ以後の相対回転が阻止されるので、ジョイントプラグ１８内へのテーパ面２０ａの圧入嵌合を所定値以下に規制することができるようになる。
【００２２】
このため、ジョイントプラグ１８の雌ねじ部や圧着接合部１８ｂに過剰な力を作用させてしまうことを防止でき、その耐久性の向上と破損の防止とを図ることができるようになる。また、大径側のパイプシャフト４，６と小径側のパイプシャフト６，８との相対回転が不能になるまで、両パイプシャフトをしっかりと捻り込むことになるので、締め込み不足の不安を使用者に与えることなく、確実に両パイプシャフトを固定係止させることができる。
【図面の簡単な説明】
【００２３】
【図１】本発明と従来例とに共通する歩行補助用ポールの外観を示すもので、（ａ）は最長に伸ばした状態の側面図、（ｂ）は各パイプシャフトを離脱させた状態の分解図である。
【図２】本発明の一実施形態例に係る歩行補助用ポールの各パイプシャフトを一部破断して示す部分断面図で、（ａ）は大径パイプシャフト、（ｂ）は中径パイプシャフト、（ｃ）は小径パイプシャフトである。
【図３】図２の要部拡大図であり、小径パイプシャフトに取り付けられたネジ部材とジョイントプラグとを示す図である。
【図４】図２に対応する従来の歩行補助ポールの図である。
【図５】図３に対応する従来の歩行補助ポールの図である。
【符号の説明】
【００２４】
２      歩行補助用ポール              ４      大径パイプシャフト
６      中径パイプシャフト            ８      小径パイプシャフト
１０    カバースリーブ                １２    グリップ
１４    石突きカバー                  １６    固定係止機構
１８    ジョイントプラグ
１８ａ  ボス部                        １８ｂ  圧着係合部
１８ｃ  割溝                          １８ｄ  先端面
２０    ネジ部材
２０ａ  テーパ面                      ２０ｂ  ネジ部
２０ｃ  フランジ                      ２０ｄ  基端部
２０ｅ  カシメ用溝部                  ２０ｆ  ストッパー部
【図１】
2006239153.tif 000003
【図２】
2006239153.tif 000004
【図３】
2006239153.tif 000005
【図４】
2006239153.tif 000006
【図５】
2006239153.tif 000007